(57)【要約】【課題】構成部品を作動させる作動順序を規定する。【解決手段】排紙オプション８０をフロント開閉カバー１２Ａから取り外す。その後、排紙オプション８０を取り外すことで露出した操作ボタン９２を押して、ラッチ機構によるフロント開閉カバー１２Ａと装置本体１２との係止状態を解除し、フロント開閉カバー１２Ａの開閉操作を行う。このように、排紙オプション８０を取り外した後でなければ、フロント開閉カバー１２Ａは開閉できないので、排紙オプション８０及びフロント開閉カバー１２Ａを作動させる作動順序を規定できる。【選択図】図３
2008096898.tif 000002
【特許請求の範囲】
【請求項１】
装置本体に開閉可能に取り付けられた開閉部材と、
前記開閉部材の上部に、第１位置と第２位置とに移動可能に前記装置本体又は該開閉部材に設けられ、前記第１位置において前記開閉部材の開閉操作を禁止し、前記第２位置において開閉部材の開閉操作を可能にする移動部材と、
を備えたことを特徴とする画像形成装置。
【請求項２】
前記開閉部材を前記装置本体に係止させるラッチ機構と、
前記ラッチ機構に設けられ、前記開閉部材の係止状態を解除する解除操作部と、
を備え、
前記移動部材は、前記第１位置において前記解除操作部を隠して前記解除操作部の解除操作を禁止することを特徴とする請求項１に記載の画像形成装置。
【請求項３】
前記開閉部材を前記装置本体に係止させるラッチ機構を備え、
前記移動部材は、前記第１位置において前記ラッチ機構をロックして前記ラッチ機構の係止解除操作を不能とすることを特徴とする請求項１に記載の画像形成装置。
【請求項４】
前記移動部材は、前記装置本体又は前記開閉部材に着脱可能に取り付けられ、前記装置本体又は前記開閉部材に取り付けられた取付け位置において前記開閉部材の開閉操作を禁止し、前記装置本体又は前記開閉部材から取り外された取外し位置において前記開閉部材の開閉操作を可能にすることを特徴とする請求項１〜３のいずれか１項に記載の画像形成装置。
【請求項５】
前記移動部材は、前記装置本体に開閉可能に取り付けられ、前記装置本体に対して閉められた閉位置において前記開閉部材の開閉操作を禁止し、前記装置本体に対して開けられた開位置において前記開閉部材の開閉操作を可能にすることを特徴とする請求項１〜３のいずれか１項に記載の画像形成装置。
【請求項６】
前記開閉部材は、前記装置本体に形成された搬送路で生じた用紙詰まりを解消する際に開放されるジャムクリアーカバーであることを特徴とする請求項１〜５のいずれか１項に記載の画像形成装置。
【請求項７】
前記開閉部材は、前記装置本体に設けられた構成部品を交換する際に開放される部品交換カバーであることを特徴とする請求項１〜５のいずれか１項に記載の画像形成装置。
【請求項８】
前記移動部材は、前記装置本体から排出される用紙を積載する排紙オプションである請求項１〜７のいずれか１項に記載の画像形成装置。
【請求項９】
前記移動部材は、原稿から画像を読み取る画像読取部であることを特徴とする請求項１〜７のいずれか１項に記載の画像形成装置。
【発明の詳細な説明】
【技術分野】
【０００１】
本発明は、画像形成装置に関する。
【背景技術】
【０００２】
画像形成装置としては、装置本体へ開閉可能に設けられた開閉部材としての開閉カバーを備えた画像形成装置が知られている。この画像形成装置では、開閉カバーを開放することにより、搬送路で生じるジャム（紙詰まり）を解消したり、装置内部の構成部品を交換したりすることができる。
【０００３】
また、画像形成装置としては、画像形成装置本体から排出される用紙を受け取り、仕分け等を行う排紙オプションを備えたものが公知である（特許文献１参照）。
【特許文献１】特開平９−３０４９９０号公報
【発明の開示】
【発明が解決しようとする課題】
【０００４】
上記のような排紙オプションを開閉カバーの上部に配置し、排紙オプションを移動させてから開閉カバーを開閉する構成では、排紙オプションを移動させずに開閉カバーを無理やり開くと、排紙オプションが開閉カバーに干渉し、排紙オプションや開閉カバーが破損するおそれがある。また上部に排紙オプションが付いたまま開閉カバーを開くと、開閉カバーの重心が高いので勢いよく開くことがあり、危険である。
【０００５】
従って、操作者に確実に排紙オプションを取り外してから、開閉カバーを開いてもらう必要がある。すなわち、構成部品を作動させる作動順序を操作者に守ってもらう必要がある。
【０００６】
本発明は、上記事実を考慮し、構成部品を作動させる作動順序を規定できる画像形成装置を提供することを目的とする。
【課題を解決するための手段】
【０００７】
本発明の請求項１に係る画像形成装置は、装置本体に開閉可能に取り付けられた開閉部材と、前記開閉部材の上部に、第１位置と第２位置とに移動可能に前記装置本体又は該開閉部材に設けられ、前記第１位置において前記開閉部材の開閉操作を禁止し、前記第２位置において開閉部材の開閉操作を可能にする移動部材と、を備えたことを特徴とする。
【０００８】
この構成によれば、装置本体又は前記開閉部材に設けられた移動部材が第１位置に位置すると、開閉部材の開閉操作が禁止される。これにより、開閉部材の開閉が不能となる。
【０００９】
移動部材を第１位置から第２位置に移動させると、開閉部材の開閉操作が可能となる。これにより、開閉部材を開放して、例えば、装置本体内に形成された搬送路で生じるジャム（紙詰まり）を解消したり、装置内部の構成部品を交換したりすることができる。
【００１０】
以上のように、移動部材を第１位置から第２位置に移動させた後でなければ、開閉部材は開閉できないので、構成部品を作動させる作動順序を規定できる。
【００１１】
本発明の請求項２に係る画像形成装置は、請求項１の構成において、前記開閉部材を前記装置本体に係止させるラッチ機構と、前記ラッチ機構に設けられ、前記開閉部材の係止状態を解除する解除操作部と、を備え、前記移動部材は、前記第１位置において前記解除操作部を隠して前記解除操作部の解除操作を禁止することを特徴とする。
【００１２】
この構成によれば、移動部材は、第１位置に位置すると、ラッチ機構に設けられた解除操作部を隠して、解除操作部の解除操作を禁止する。これにより、ラッチ機構が、開閉部材を装置本体に係止させる係止状態が保たれ、開閉部材の開閉が不能となる。
【００１３】
移動部材を第１位置から第２位置に移動させると、開閉部材の開閉操作が可能となる。このように、移動部材を第１位置から第２位置に移動させた後でなければ、開閉部材は開閉できないので、構成部品を作動させる作動順序を規定できる。
【００１４】
本発明の請求項３に係る画像形成装置は、請求項１の構成において、前記開閉部材を前記装置本体に係止させるラッチ機構を備え、前記移動部材は、前記第１位置において前記ラッチ機構をロックして前記ラッチ機構の係止解除操作を不能とすることを特徴とする。
【００１５】
この構成によれば、移動部材は、第１位置に位置すると、前記ラッチ機構をロックして前記ラッチ機構の係止解除操作を不能とする。これにより、ラッチ機構が、開閉部材を装置本体に係止させる係止状態が保たれ、開閉部材の開閉が不能となる。
【００１６】
移動部材を第１位置から第２位置に移動させると、開閉部材の開閉操作が可能となる。このように、移動部材を第１位置から第２位置に移動させた後でなければ、開閉部材は開閉できないので、構成部品を作動させる作動順序を規定できる。
【００１７】
本発明の請求項４に係る画像形成装置は、請求項１〜３のいずれか１項の構成において、前記移動部材は、前記装置本体又は前記開閉部材に着脱可能に取り付けられ、前記装置本体又は前記開閉部材に取り付けられた取付け位置において前記開閉部材の開閉操作を禁止し、前記装置本体又は前記開閉部材から取り外された取外し位置において前記開閉部材の開閉操作を可能にすることを特徴とする。
【００１８】
この構成によれば、移動部材が、前記装置本体又は開閉部材に取り付けられた取付け位置に位置すると、すなわち、前記装置本体又は開閉部材に取り付けられると、開閉部材の開閉操作が禁止される。これにより、開閉部材の開閉が不能となる。
【００１９】
移動部材を取付け位置から取外し位置に移動させると、すなわち、前記装置本体又は開閉部材から取り外すと、開閉部材の開閉操作が可能となる。これにより、開閉部材を開放して、例えば、装置本体内に形成された搬送路で生じるジャム（紙詰まり）を解消したり、装置内部の構成部品を交換したりすることができる。
【００２０】
以上のように、移動部材を取付け位置から取外し位置に移動させた後でなければ、開閉部材は開閉できないので、構成部品を作動させる作動順序を規定できる。
【００２１】
本発明の請求項５に係る画像形成装置は、請求項１〜３のいずれか１項の構成において、前記移動部材は、前記装置本体に開閉可能に取り付けられ、前記装置本体に対して閉められた閉位置において前記開閉部材の開閉操作を禁止し、前記装置本体に対して開けられた開位置において前記開閉部材の開閉操作を可能にすることを特徴とする。
【００２２】
この構成によれば、移動部材が、装置本体に対して閉められた閉位置に位置すると、すなわち、装置本体に対して閉められると、開閉部材の開閉操作が禁止される。これにより、開閉部材の開閉が不能となる。
【００２３】
移動部材を閉位置から開位置に移動させると、すなわち、装置本体に対して開けられると、開閉部材の開閉操作が可能となる。これにより、開閉部材を開放して、例えば、装置本体内に形成された搬送路で生じるジャム（紙詰まり）を解消したり、装置内部の構成部品を交換したりすることができる。
【００２４】
以上のように、移動部材を閉位置から開位置に移動させた後でなければ、開閉部材は開閉できないので、構成部品を作動させる作動順序を規定できる。
【００２５】
本発明の請求項１に係る開閉部材としては、請求項６に記載のように、前記装置本体に形成された搬送路で生じた用紙詰まりを解消する際に開放されるジャムクリアーカバーであってもよい。
【００２６】
本発明の請求項１に係る開閉部材としては、請求項７に記載のように、前記装置本体に設けられた構成部品を交換する際に開放される部品交換カバーであってもよい。
【００２７】
本発明の請求項１に係る移動部材としては、請求項８に記載のように、前記装置本体から排出される用紙を積載する排紙オプションであってもよい。
【００２８】
本発明の請求項１に係る移動部材としては、請求項９に記載のように、原稿から画像を読み取る画像読取部であってもよい。
【発明の効果】
【００２９】
本発明は、上記構成としたので、構成部品を作動させる作動順序を規定できる。
【発明を実施するための最良の形態】
【００３０】
以下に、本発明に係る実施形態の一例を図面に基づき説明する。
【００３１】
まず、本実施形態に係る画像形成装置の全体構成を説明する。図１には、本実施形態に係る画像形成装置の全体構成が概略図にて示されている。
【００３２】
画像形成装置１０は、イエロー（Ｙ）、マゼンタ（Ｍ）、シアン（Ｃ）及びブラック（Ｋ）の４色からなるトナー像を形成する作像エンジンを、直列的に配置してなる所謂タンデム型のプリンタであり、単色（主にブラック色）画像のほかに上記４色のトナー像を適宜組み合わせてなるカラー（多色）の画像をプリントすることができるものである。
【００３３】
画像形成装置１０は、各構成部品を収容する装置本体１２を備えている。この装置本体１２の内部には、像保持ユニット２０、露光ユニット３０、現像ユニット４０、最終転写ユニット５０、給紙ユニット６０、及び、定着ユニット７０が設けられている。
【００３４】
装置本体１２は、ほぼ箱型の外観形状とされ、装置本体１２の上部には、プリントされた後に排出される用紙Ｐを収容するための、傾斜面を有した排紙部カバー１２Ｂが設けられている。
【００３５】
また、画像形成装置１０は、図２に示すように、装置本体１２の側部には、下部側にある支軸１３Ａを中心に揺動して開閉する開閉部材としてのフロント開閉カバー１２Ａが設けられている。また、排紙部かバー１２Ｂは、一端部側にある支軸１３Ｂを中心に揺動して開閉する開閉部材としてのトップ開閉カバーとして構成されている。
【００３６】
フロント開閉カバー１２Ａには、最終転写ユニット５０や定着ユニット７０が取り付けられており、フロント開閉カバー１２Ａの開閉動作時に一体となって揺動して変位する構成になっている。このような開閉カバーの構造を採用したことにより、その開閉カバーを開けた場合には、装置本体１２の内部空間に配置された所定の構成部品（例えば像保持ユニット２０、現像ユニット４０、用紙搬送路など）が露出した状態になり、所要の作業（メンテナンス作業、ジャム除去作業など）ができる状態になる。
【００３７】
このように、フロント開閉カバー１２Ａ及び排紙部カバー１２Ｂは、装置本体１２に形成された搬送路３２で生じた用紙詰まりを解消する際に開放されるジャムクリアーカバーとして、また、装置本体１２に設けられら構成部品を交換する際に開放される部品交換カバーとして機能する。
【００３８】
像保持ユニット２０、及び、現像ユニット４０は、交換部品とされており、装置本体１２に対してそれぞれ着脱自在に取り付けられている。なお、像保持ユニット２０を交換する際には、現像ユニット４０が露光ユニット３０側へ退避するようになっている。
【００３９】
像保持ユニット２０は、４色（Ｙ，Ｍ，Ｃ，Ｋ）のトナー像が専用に形成される４つの感光ドラム２１Ｙ，２１Ｍ，２１Ｃ，２１Ｋ、その各感光ドラム２１（Ｙ，Ｍ，Ｃ，Ｋ）の周面（感光層）を所定の背景部電位に帯電させる帯電ロール２２、その各感光ドラム２１の周面に残留付着するトナー等を一時的に保持するトナー仮保持用ブラシロール２３、上記４つの感光ドラム２１上の各トナー像を転写させて保持する２つの第１中間転写ドラム２５、２６、この２つの第１中間転写ドラム２５、２６上のトナー像を転写させて保持する１つの第２中間転写ドラム２７、上記各中間転写ドラム２５、２６、２７の各周面に残留付着するトナー等をそれぞれ一時的に保持するトナー仮保持用ブラシロール２８、を備えている。
【００４０】
露光ユニット３０は、像保持ユニット２０の各感光ドラム２１に対して露光を行うことにより各感光ドラム２１に静電潜像を書き込むためのものであり、現像ユニット４０を介在させた状態で像保持ユニット２０の感光ドラム２１の配置側で装置本体１２に固定した状態に設置されている。
【００４１】
現像ユニット４０は、像保持ユニット２０の各感光ドラム２１に上記露光ユニット３０からの露光により形成された静電潜像を現像剤で現像するためのものであり、像保持ユニット２０と露光ユニット３０との間に位置するような状態で設置されている。この現像ユニット４０は、装置本体１２に対して移動可能に支持され長方体状の空間が形成された枠形状からなる専用の可動フレーム内に、前記４色（Ｙ，Ｍ，Ｃ，Ｋ）の現像剤による現像を行うための４台の現像装置４１Ｙ，４１Ｍ，４１Ｃ，４１Ｋを、前記各感光ドラム２１と対向した状態となるように上下方向に間隔をあけて並べた位置関係で取り付けることで構成されている。
【００４２】
最終転写ユニット５０は、像保持ユニット２０における第２中間転写ドラム２７に転写形成されるトナー像を用紙Ｐに最終的に転写させるためのものであり、フロント開閉カバー１２Ａに設置されている。この最終転写ユニット５０は、そのユニットフレームに、上記第２中間転写ドラム２７と当接して転写ニップ部を形成する最終転写ロール５１を回転可能に取り付けることで主に構成されている。
【００４３】
給紙ユニット６０は、用紙Ｐを収容して複数枚の用紙Ｐを積み重ねて収容する給紙トレイ６１と、この給紙トレイ６１に積載される用紙Ｐを１枚ずつ送り出すピックアップロール６２Ａ、捌きロール６２Ｂ等からなる送出機構６２とで主に構成されている。この給紙ユニット６０から送り出された用紙Ｐは、用紙搬送ロール対６５、６６、用紙搬送ガイド等からなる給紙路６７を通して像保持ユニット２０の第２中間転写ドラム２７と最終転写ユニット５０の最終転写ロール５１との間に所定のタイミンングで搬送されて供給される。
【００４４】
定着ユニット７０は、ユニットフレームと、加熱ランプがロール空間内部に内蔵された加熱ロール７１と、この加熱ロール７１に圧接して回転する加圧ロール７２と、用紙排出ロール７３とを含んで構成されている。
【００４５】
この画像形成装置１０では、図１に示すように、用紙Ｐのレジストロール対６６から転写位置および定着位置を経由してその排出口７５に至るまでの搬送路３２を、装置本体１２の側面部から見た場合、フロント開閉カバー１２Ａ側に突き出して弧状に湾曲してあたかも英文字の「Ｃ」のような経路、いわゆる「Ｃパス搬送路」となるように形成している。フロント開閉カバー１２Ａを開けると、そのＣパス搬送路を境にして装置本体１２の内部が開放されたような状態になっている。これにより、Ｃパス搬送路で生じた記録紙のジャム（紙詰まり）の解消及び像保持ユニット２０や現像ユニット４０の交換が可能となる。
【００４６】
なお、搬送路３２は、後述する排紙オプション８０の搬送路８６に接続される搬送路３２Ａと、排紙部カバー１２Ｂ側へ通じる搬送路３２Ｂとを備えている。
【００４７】
次に、本実施形態に係る移動部材としての排紙オプション８０について説明する。
【００４８】
本実施形態では、図１及び図３に示すように、装置本体１２から排出される用紙Ｐを仕分けするための排紙オプション８０が、フロント開閉カバー１２Ａの上部に設けられている。
【００４９】
排紙オプション８０には、図１に示すように、装置本体１２の搬送路３２Ａと接続される搬送路８６が形成されている。この搬送路８６には、排出ロール８４が設けられており、この排出ロール８４が、排紙オプション８０に設けられた排紙トレイ８２へ用紙Ｐを排出し、用紙Ｐが排紙トレイ８２に積載される。
【００５０】
装置本体１２の搬送路３２Ａと搬送路３２Ｂの分岐には、用紙Ｐを誘導する爪片８３が設けられており、爪片８３を切替えることにより、用紙Ｐの排出先が決定される。すなわち、爪片８３の先端部が上方に移動し、排紙オプション８０へ延びる搬送路３２Ａを閉鎖することにより、用紙Ｐは排紙部カバー１２Ｂに導かれ、また、爪片８３の先端部が下方に移動し、排紙部カバー１２Ｂに延びる搬送路３２Ｂを閉鎖することにより、用紙Ｐは排紙オプション８０に導かれる。
【００５１】
また、装置本体１２とフロント開閉カバー１２Ａとの間には、図５に示すように、フロント開閉カバー１２Ａを装置本体１２に係止させるラッチ機構９０が設けられている。
【００５２】
ラッチ機構９０は、装置本体１２に設けられた１対のアーム９４を備えている。アーム９４は、後端部が装置本体１２に固定されると共に、先端部がフロント開閉カバー１２Ａ側に延びると共にＬ字状に屈曲されている。
【００５３】
フロント開閉カバー１２Ａには、フロント開閉カバー１２Ａの開閉方向と直交する方向（図５においてＡ方向）に移動可能に設けられた移動体９６が設けられている。移動体９６の側部には、アーム９４の先端部と係合する爪片９８が設けられている。
【００５４】
また、移動体９６の一端部には、付勢手段としての圧縮ばね９７が取り付けられており、図５におけるＡ方向と反対の方向に付勢されている。これにより、爪片９８とアーム９４が係合状態に維持され、フロント開閉カバー１２Ａは、装置本体１２に係止される。
【００５５】
移動体９６の他端部には、フロント開閉カバー１２Ａの係止状態を解除する解除操作部としての操作ボタン９２が設けられている。操作ボタン９２が、操作者に押されることにより、移動体９６が圧縮ばね９７に対抗してＡ方向に移動し、爪片９８とアーム９４との係合状態が解除され、フロント開閉カバー１２Ａと装置本体１２との係止状態が解除される。これにより、フロント開閉カバー１２Ａの開放が可能となる。
【００５６】
なお、ラッチ機構９０の構成は、上記の構成に限られず、種々の変形、変更が可能である。
【００５７】
また、排紙オプション８０は、フロント開閉カバー１２Ａの上部に着脱可能に取り付けられている。図３は、排紙オプション８０がフロント開閉カバー１２Ａの上部に取り付けられた状態を示し、図４は、排紙オプション８０がフロント開閉カバー１２Ａの上部から取り外された状態を示す。
【００５８】
排紙オプション８０の側部には、図３に示すように、下方に突出する板状のカバー部８０Ａが形成されており、排紙オプション８０がフロント開閉カバー１２Ａの上部に取り付けられた取付け位置（第１位置）に位置すると、カバー部８０Ａが操作ボタン９２上から覆い隠し、操作ボタン９２の解除操作を禁止するようになっている（図３参照）。これにより、フロント開閉カバー１２Ａの開閉操作が禁止される。
【００５９】
排紙オプション８０は、フロント開閉カバー１２Ａの上部から取り外された取外し位置（第２位置）に位置すると操作ボタン９２が露出し、操作ボタン９２の解除操作が可能となっている（図４参照）。これにより、フロント開閉カバー１２Ａの開閉操作が可能となる。
【００６０】
（本実施形態の作用）
次に、上記の実施形態について作用を説明する。
【００６１】
本実施形態では、排紙オプション８０が装置本体１２に取り付けられていない状態においては、操作ボタン９２を押して、ラッチ機構９０によるフロント開閉カバー１２Ａと装置本体１２との係止状態を解除し、フロント開閉カバー１２Ａの開閉操作を行う。
【００６２】
排紙オプション８０が装置本体１２に取り付けられると、操作ボタン９２が隠れて操作ボタン９２を押せなくなり、ラッチ機構９０によるフロント開閉カバー１２Ａと装置本体１２との係止状態を解除することができなくなる。
【００６３】
本実施形態では、まず、排紙オプション８０をフロント開閉カバー１２Ａから取り外す。その後、排紙オプション８０を取り外すことで露出した操作ボタン９２を押して、ラッチ機構９０によるフロント開閉カバー１２Ａと装置本体１２との係止状態を解除し、フロント開閉カバー１２Ａの開閉操作を行う。
【００６４】
フロント開閉カバー１２Ａを開放して、装置本体１２内に形成された搬送路３２で生じるジャム（紙詰まり）を解消したり、装置内部の構成部品を交換したりすることができる。
【００６５】
このように、本実施形態では、排紙オプション８０を取り外した後でなければ、フロント開閉カバー１２Ａは開閉できないので、排紙オプション８０及びフロント開閉カバー１２Ａを作動させる作動順序を規定できる。これにより、排紙オプション８０を移動させずに、フロント開閉カバー１２Ａを無理やり開くことがなくなり、排紙オプション８０やフロント開閉カバー１２Ａの破損等を防止できる。
【００６６】
なお、排紙オプション８０は、図６に示すように、装置本体１２に揺動可能に取り付けられる構成であっても良い。
【００６７】
この構成では、排紙オプション８０の下部が、装置本体１２の上部に支持され、支軸８１を中心に揺動するようになっている。排紙オプション８０をフロント開閉カバー１２Ａ側へ揺動させると、排紙オプション８０の下部に形成されたカバー部８０Ａが、操作ボタン９２を隠し、ラッチ機構９０によるフロント開閉カバー１２Ａと装置本体１２との係止状態を解除できなくなる（図６（Ａ）参照）。
【００６８】
排紙オプション８０をフロント開閉カバー１２Ａとは反対側へ揺動させて跳ね上げると、操作ボタン９２が露出し、操作ボタン９２を押して、ラッチ機構９０によるフロント開閉カバー１２Ａと装置本体１２との係止状態を解除できる（図６（Ｂ）参照）。これにより、フロント開閉カバー１２Ａの開閉操作が可能となる（図６（Ｃ）参照）。
（本実施形態に係る画像形成装置の第１変形例）
次に、上記の実施形態に係る画像形成装置を変形した第１変形例を説明する。
【００６９】
上記の実施形態では、フロント開閉カバー１２Ａの開閉操作が禁止される構成となっていたが、第１変形例は、排紙部カバー１２Ｂの開閉操作が禁止される構成である。
【００７０】
第１変形例に係る排紙オプション１８０は、図７及び図８に示すように、排紙部カバー１２Ｂの上部に配置されている。排紙オプション１８０には、排出口７５から排出される用紙Ｐを誘導する爪片１８３と、排出ロール１８４と、排出ロール１８４に排出される用紙Ｐが積載される排紙トレイ１８２が設けられている。
【００７１】
この爪片１８３を切替えることにより、用紙Ｐの排出先が決定される。すなわち、爪片８３の先端部が上方に移動し、排紙トレイ１８２への搬送経路を閉鎖することにより、用紙Ｐは排紙部カバー１２Ｂに導かれ、また、爪片１８３の先端部が下方に移動し、排紙部カバー１２Ｂ側を閉鎖することにより、用紙Ｐは排紙トレイ１８２へ導かれる。
【００７２】
装置本体１２と排紙部カバー１２Ｂとの間には、排紙部カバー１２Ｂを装置本体１２に係止させるラッチ機構（図示省略）が設けられている。ラッチ機構には、排紙部カバー１２Ｂの係止状態を解除する解除操作部としての操作ボタン１９２（図９参照）が設けられている。
【００７３】
操作ボタン９２が、操作者に押されることにより、排紙部カバー１２Ｂと装置本体１２との係止状態が解除され、排紙部カバー１２Ｂの開閉が可能となる。
【００７４】
また、排紙オプション１８０は、排紙部カバー１２Ｂの上部に着脱可能に取り付けられている。図８は、排紙オプション８０が排紙部カバー１２Ｂの上部に取り付けられた状態を示し、図９は、排紙オプション８０が排紙部カバー１２Ｂの上部から取り外された状態を示す。
【００７５】
排紙オプション１８０の側部には、図８に示すように、下方に突出する板状のカバー部１８０Ａが形成されており、排紙オプション１８０が排紙部カバー１２Ｂの上部に取り付けられた取付け位置に位置すると、カバー部１８０Ａが操作ボタン１９２上から覆い隠し、操作ボタン１９２の解除操作を禁止するようになっている（図８参照）。これにより、排紙部カバー１２Ｂの開閉操作が禁止される。
【００７６】
排紙オプション１８０は、排紙部カバー１２Ｂの上部から取り外された取外し位置に位置すると操作ボタン１９２が露出し、操作ボタン１９２の解除操作が可能となっている（図９参照）。これにより、排紙部カバー１２Ｂの開閉操作が可能となる。
【００７７】
第１変形例では、上記実施形態と同様に、排紙オプション８０を取り外した後でなければ、排紙部カバー１２Ｂは開閉できないので、排紙オプション８０及び排紙部カバー１２Ｂを作動させる作動順序を規定できる。これにより、排紙オプション８０を移動させずに、排紙部カバー１２Ｂを無理やり開くことがなくなり、排紙オプション８０や排紙部カバー１２Ｂの破損等を防止できる。
（本実施形態に係る画像形成装置の第２変形例）
次に、上記の実施形態に係る画像形成装置を変形した第２変形例を説明する。
【００７８】
上記の実施形態では、操作ボタン９２を隠すことにより、フロント開閉カバー１２Ａの開閉操作が禁止される構成となっていたが、第２変形例は、ラッチ機構をロックすることにより、フロント開閉カバー１２Ａの開閉操作が禁止される構成である。
【００７９】
第２変形例に係るラッチ機構２９０では、移動体９６の側部に、ピン孔２９２が形成された位置決め部２９４が設けられている。なお、その他の構成については、上記実施形態に係るラッチ機構９０と同じであるので、同一の部分には同一の符号を付し、説明を省略する。
【００８０】
第２変形例に係る排紙オプション２８０には、その下部に下方へ突出するピン２８２が設けられている。排紙オプション２８０がフロント開閉カバー１２Ａに取り付けられた際に、ピン２８２が位置決め部２９４のピン孔２９２に挿入されるように、その長さ及び位置等が調整されている。なお、排紙オプション２８０には、操作ボタン９２を覆うカバー部が形成されていない。
【００８１】
これにより、排紙オプション２８０がフロント開閉カバー１２Ａの上部に取り付けられた取付け位置（第１位置）に位置すると、ピン２８２がピン孔２９２に挿入されて、ラッチ機構２９０がロックされ、操作ボタン９２の解除操作を禁止するようになっている。これにより、フロント開閉カバー１２Ａの開閉操作が禁止される。
【００８２】
排紙オプション８０は、フロント開閉カバー１２Ａの上部から取り外された取外し位置（第２位置）に位置すると、ラッチ機構２９０のロックが解除され、操作ボタン９２の解除操作が可能となっている。これにより、フロント開閉カバー１２Ａの開閉操作が可能となる。
【００８３】
第２変形例では、上記実施形態と同様に、排紙オプション２８０を取り外した後でなければ、フロント開閉カバー１２Ａは開閉できないので、排紙オプション２８０及びフロント開閉カバー１２Ａを作動させる作動順序を規定できる。これにより、排紙オプション２８０を移動させずに、フロント開閉カバー１２Ａを無理やり開くことがなくなり、排紙オプション２８０やフロント開閉カバー１２Ａの破損等を防止できる。
【００８４】
（本実施形態に係る画像形成装置の第３変形例）
次に、上記の実施形態に係る画像形成装置を変形した第３変形例を説明する。
【００８５】
上記の実施形態では、移動部材としての排紙オプション１８０が設けられている構成であったが、第３変形例は、移動部材としてのスキャナー（画像読取部）が設けられている構成である。
【００８６】
第３変形例に係るスキャナー３１０は、図１２（Ａ）、（Ｂ）に示すように、装置上部に配置されており、装置本体１２に設けられた支持部３２０に片持ち状に支持されている。また、スキャナー３１０は、読み取り対象となる原稿を載せるプラテン３１２が設けられている。プラテン３１２の上部には、プラテン３１２に載せられた原稿を保持する開閉部としてのプラテンカバー３１４が設けられている。
【００８７】
スキャナー３１０は、プラテン３１２に載せられた原稿から画像を読み取り、その読み取った画像を電気的な画像信号に変換し、その画像信号を露光ユニット３０へ入力する。露光ユニット３０は、スキャナー３１０で読み取った原稿のデジタル画像データに基づいた静電潜像を感光ドラム２１に形成する。
【００８８】
なお、第３変形例は、排紙オプションがなく、スキャナー３１０が設けられている点を除けば、上記の実施形態と同様であるので、ここでは、説明を省略する。
【００８９】
また、装置本体１２と排紙部カバー１２Ｂとの間には、排紙部カバー１２Ｂを装置本体１２に係止させるラッチ機構（図示省略）が設けられている。このラッチ機構は、図５に示すラッチ機構９０と同様に構成されており、ラッチ機構には、排紙部カバー１２Ｂの係止状態を解除する解除操作部としての操作ボタン３９２（図１２（Ｂ）参照）が設けられている。
【００９０】
操作ボタン３９２が、操作者に押されることにより、排紙部カバー１２Ｂと装置本体１２との係止状態が解除され、排紙部カバー１２Ｂの開閉が可能となる。
【００９１】
また、スキャナー３１０は、支持部３２０に回転可能に取り付けられており、装置本体対して開閉可能とされている。図１２（Ａ）は、スキャナー３１０が閉められた状態を示し、図１２（Ｂ）は、スキャナー３１０が開放された状態を示す。
【００９２】
スキャナー３１０が、装置本体１２に対して閉められると、スキャナー３１０が操作ボタン３９２上から覆い隠し、操作ボタン３９２の解除操作を禁止するようになっている（図１２（Ａ）参照）。これにより、排紙部カバー１２Ｂの開閉操作が禁止される。
【００９３】
スキャナー３１０が装置本体１２に対して開放されると、操作ボタン３９２が露出し、操作ボタン３９２の解除操作が可能となっている（図１２（Ａ）参照）。これにより、排紙部カバー１２Ｂの開閉操作が可能となる。
【００９４】
第３変形例では、上記実施形態と同様に、スキャナー３１０を移動した後でなければ、排紙部カバー１２Ｂは開閉できないので、スキャナー３１０及び排紙部カバー１２Ｂを作動させる作動順序を規定できる。これにより、スキャナー３１０を移動させずに、排紙部カバー１２Ｂを無理やり開くことがなくなり、スキャナー３１０や排紙部カバー１２Ｂの破損等を防止できる。
【００９５】
なお、第３変形例では、スキャナー３１０で操作ボタン９２を隠すことにより、排紙部カバー１２Ｂの開閉操作が禁止される構成となっていたが、図１３に示すように、排紙部カバー１２Ｂを装置本体１２に係止させるラッチ機構をロックすることにより、排紙部カバー１２Ｂの開閉操作が禁止される構成であってもよい。
【００９６】
この構成に係るラッチ機構３９０では、中間部が回転可能に支持されたリンク部材３９６が、装置本体１２及び支持部３２０にまたがって設けられている。リンク部材３９６の下端部（一端部）には、爪片３９４が形成されており、この爪片３９４は、排紙部カバー１２Ｂの揺動中心側の端部に形成された爪片３９３と係合可能となっている。リンク部材３９６の下端部は、爪片３９４が爪片３９３と係合する方向へ、圧縮ばね３９７により付勢されている。
【００９７】
リンク部材３９６の上端部（他端部）は、スキャナー３１０の開閉中心側の下端部に当たっており、スキャナー３１０を開放すると、リンク部材３９６の上端部が押される。リンク部材３９６の上端部が押されると、圧縮ばね３９７に対抗して、リンク部材３９６の下端部を爪片３９４と爪片３９３との係合方向と反対方向へ移動させ、爪片３９４と爪片３９３との係合状態が解除される（図１３（Ｂ）参照）。これにより、排紙部カバー１２Ｂの開閉操作が可能となる。
【００９８】
一方、スキャナー３１０が、装置本体１２に対して閉められると、リンク部材３９６の爪片３９４が爪片３９３に係合した状態で、ラッチ機構３９０がロックされ、排紙部カバー１２Ｂの開閉操作が禁止される（図１３（Ａ）参照）。
【００９９】
なお、上記実施形態では、移動部材として、排紙オプション又はスキャナーを用いたが、本発明の移動部材としては、これに限られず、例えば、用紙の両面に画像形成する際に該用紙を反転させる反転路を有する反転ユニットであってもよく、装置本体に移動可能に取り付けられる部材であれば構わない。
【０１００】
本発明は、本実施形態に限るものではなく、種々の変形、変更、改良が可能である。
【図面の簡単な説明】
【０１０１】
【図１】図１は、本発明の実施形態に係る画像形成装置の全体構成を示す概略図である。
【図２】図２は、本実施形態に係る画像形成装置において、フロント開閉カバー及び排紙部カバーを開放した状態を示す図である。
【図３】図３は、本実施形態に係る画像形成装置において、排紙オプションを取り付けた状態を示す斜視図である。
【図４】図４は、本実施形態に係る画像形成装置において、排紙オプションを取り外した状態を示す斜視図である。
【図５】図５は、本実施形態に係るラッチ機構を示す概略図である。
【図６】図６は、本実施形態に係る排紙オプションを揺動可能に装置本体に取り付けた構成を示す図である。
【図７】図７は、本実施形態に係る第１変形例を示す概略図である。
【図８】図８は、本実施形態に係る第１変形例において、排紙オプションを取り付けた状態を示す斜視図である。
【図９】図９は、本実施形態に係る第１変形例において、排紙オプションを取り外した状態を示す斜視図である。
【図１０】図１０は、本実施形態に係る第２変形例におけるラッチ機構を示す概略図である。
【図１１】図１１は、本実施形態に係る第２変形例において、排紙オプションを取り外した状態を示す斜視図である。
【図１２】図１２（Ａ）は、本実施形態に係る第３変形例において、スキャナーを開放した状態を示し、図１２（Ｂ）は、スキャナーを閉めた状態を示す斜視図である。
【図１３】図１３は、本実施形態に係る第３変形例において、ラッチ機構をロックすることにより、排紙部カバーの開閉操作が禁止される構成を示す図であり、（Ａ）は、スキャナーを閉めた状態を示し、（Ｂ）は、スキャナーを開放した状態を示す。
【符号の説明】
【０１０２】
１０   画像形成装置
１２Ａ フロント開閉カバー（開閉部材、ジャムクリアーカバー、部品交換カバー）
１２   装置本体
１２Ｂ 排紙部カバー（開閉部材、ジャムクリアーカバー、部品交換カバー）
８０   排紙オプション（移動部材）
９０   ラッチ機構
９２   操作ボタン（解除操作部）
２９０ ラッチ機構
３１０ スキャナー（移動部材、画像読取部）
３９０ ラッチ機構
３９２ 操作ボタン（解除操作部）
【図１】
2008096898.tif 000003
【図２】
2008096898.tif 000004
【図３】
2008096898.tif 000005
【図４】
2008096898.tif 000006
【図５】
2008096898.tif 000007
【図６】
2008096898.tif 000008
【図７】
2008096898.tif 000009
【図８】
2008096898.tif 000010
【図９】
2008096898.tif 000011
【図１０】
2008096898.tif 000012
【図１１】
2008096898.tif 000013
【図１２】
2008096898.tif 000014
【図１３】
2008096898.tif 000015